(57)【要約】【課題】公衆網の如何に関わらず通信機能を備えることなく、撮影禁止場所においてカメラ機能を制限する。【解決手段】携帯電話１００にて、特定の撮影禁止画像３００を撮影することのみで、携帯電話１００を持つ画像認識手段により、携帯電話１００が自動的に撮影禁止状態に移行する。特別な通信機能などを一切使用しないため、各種カメラ機能を搭載した装置に共通の方式でカメラ機能の停止を実現できる。【選択図】  図１
2006041679.tif 000002
【特許請求の範囲】
【請求項１】
撮影した画像を認識する手段と、認識した画像がカメラ機能を停止させるために予め設定した画像である場合に前記カメラ機能を停止させる手段とを備えるカメラ機能制御装置。
【請求項２】
前記カメラ機能の停止から一定時間経過後に前記カメラ機能の停止を解除する手段を備える請求項１記載のカメラ機能制御装置。
【請求項３】
認識した画像がカメラ機能の停止を解除するために予め設定した画像である場合に前記カメラ機能の停止を解除する手段を備える請求項１記載のカメラ機能制御装置。
【請求項４】
請求項１から３の何れか一項記載のカメラ機能制御装置を搭載した携帯端末装置。
【請求項５】
カメラ機能を制御するためのプログラムであって、コンピュータを、撮影した画像を認識する手段、認識した画像がカメラ機能を停止させるために予め設定した画像である場合に前記カメラ機能を停止させる手段として機能させるプログラム。
【請求項６】
前記カメラ機能の停止から一定時間経過後または認識した画像がカメラ機能の停止を解除するために予め設定した画像である場合に前記カメラ機能の停止を解除する手段として機能させる請求項５記載のプログラム。
【請求項７】
請求項５または６記載のプログラムを格納するコンピュータ読み取り可能な記録媒体。
【発明の詳細な説明】
【技術分野】
【０００１】
本発明は、携帯電話、ＰＤＡ(Personal Digital Assistant)、ノート型のパーソナルコンピュータ等の携帯端末装置に搭載されるカメラ機能を制御するためのカメラ機能制御装置に関する。
【背景技術】
【０００２】
従来、上述した電子機器のなかにはカメラ機能が搭載されたものがある。また、カメラ機能を搭載したもののなかには、撮影禁止場所でのカメラの使用を制限する機能が搭載されたものもある。例えば、ローカルエリア内の送受信装置又は公衆網送受信装置から送信された機能制限情報を受信することで、カメラ機能などの特定機能を制限する手段が提案されている（例えば、特許文献１参照）。
【特許文献１】特開２００２−２７５５４号公報
【発明の開示】
【発明が解決しようとする課題】
【０００３】
しかしながら、従来のカメラ機能が搭載された電子機器における機能制限方法においては、特定機能を制限する手段が限定されているために全ての電子機器に対して共通のカメラ機能を停止する手段を提供できていない。すなわち、公衆網を利用したシステムの場合、異なる携帯電話事業者間で送受信方式などが異なることがあり、単独のシステムで実現することは困難である。そもそもこの方式では携帯電話等の通信機能を有する電子機器しか停止することができない。公衆網を使用しない方式でも特定の通信機能を電子機器に内蔵する必要があり、この特定の通信機能を有しない電子機器に対してはカメラ機能を停止することができない。
【０００４】
本発明は、公衆網の如何に関わらず通信機能を備えることなく、撮影禁止場所においてカメラ機能を制限できるようにしたカメラ機能制御装置を提供することを目的とする。
【課題を解決するための手段】
【０００５】
本発明は、撮影した画像を認識する手段と、認識した画像がカメラ機能を停止させるために予め設定した画像（撮影禁止画像）である場合に前記カメラ機能を停止させる手段とを備える。この構成によれば、カメラ機能を停止させるために予め設定した画像を撮影した場合にカメラ機能を停止させることができるので、公衆網の如何に関わらず通信機能を備えることなく、撮影禁止場所に撮影禁止画像を設けて、それを撮影するのみでカメラ機能を制限することができる。
【０００６】
本発明において、さらに、前記カメラ機能の停止から一定時間経過後に前記カメラ機能の停止を解除する手段または認識した画像がカメラ機能の停止を解除するために予め設定した画像である場合に前記カメラ機能の停止を解除する手段を備える。
【発明の効果】
【０００７】
本発明によれば、撮影禁止画像を撮影した場合にカメラ機能を停止することができるので、公衆網の如何に関わらず通信機能を備えることなく、撮影禁止場所に撮影禁止画像を設けて、それを撮影するのみでカメラ機能を制限することができる。
【発明を実施するための最良の形態】
【０００８】
（実施の形態１）
図１は、本発明の実施の形態１に係る携帯電話の主要部分の構成を示すブロック図である。また、図２は、実施の形態１に係る携帯電話の概観を示す正面図である。また、図３は、実施の形態１に係る携帯電話で用いられる撮影禁止画像を示す図である。
【０００９】
図１において、本実施の形態の携帯電話１００は、カメラ機能と個人情報の管理機能を含む各種機能を有しており、カメラ部１０１と、制御部１０２と、操作部１０３と、不揮発性メモリ１０４と、リアルタイムクロック１０５と、表示部１０６とを備えている。
【００１０】
カメラ部１０１は、図示せぬＣＣＤ(Charge Coupled Device)等のイメージセンサ、映像データ変換部、制御部などを備えて構成されており、制御部１０２からの指示に基づいてイメージセンサにて撮像した画像を画像データとして出力する。制御部１０２は、図示せぬＣＰＵ、ＲＯＭ、ＲＡＭ等を備えて構成され、ＲＯＭに記憶されたプログラムに従って本装置の各種機能を実現する。各種機能のなかには画像認識及びカメラ機能停止がある。画像認識は、カメラ部１０１で撮影された画像を認識するものであり、撮影された画像が図３に示す撮影禁止画像３００であるかどうかを判定し、撮影禁止画像３００であれば不揮発性メモリ１０４の所定領域に割り当てたカメラ機能停止を示すフラグ「１」を設定する。
【００１１】
カメラ機能停止は、画像認識で撮影禁止画像３００が認識された場合にカメラ部１０１の機能を一定期間だけ禁止状態にする。一定期間を経過した後は不揮発性メモリ１０４上のカメラ機能停止を示すフラグを「０」に設定した後、元通りにカメラ機能が使用できるようにする。撮影禁止画像３００は、紙その他の形で提供され、画像認識にて通常の画像と異なることを認識可能な画像である。撮影禁止画像３００は撮影の禁止を望む場所に設けられる。
【００１２】
図１に戻り、操作部１０３は、図２に示すように複数のボタンスイッチを有しており、これらのボタンスイッチの操作に応じた信号が制御部１０２に入力される。不揮発性メモリ１０４は、制御部１０２が使用する情報で電源オフ時やバッテリ消耗時などの電力降下時でも保存して置くべき内容を保存する為に用いられる。本発明ではカメラ機能停止設定時の情報がこの保存すべき情報に該当する。リアルタイムクロック１０５は日時を計時し、時間データを出力する。制御部１０２は、撮影禁止期間等の管理のためにリアルタイムクロック１０５から出力される時間データを読み込む。表示部１０６は、制御部１０２からの指示に基づき、メニュー画面などの操作受付画面やカメラ映像などを表示する。
【００１３】
なお、制御部１０２、操作部１０３、不揮発性メモリ１０４、リアルタイムクロック１０５及び表示部１０６はカメラ機能制御装置２００を構成する。また、制御部１０２は、画像認識手段とカメラ機能停止手段それぞれに対応する。また、操作部１０３は、操作手段に対応する。また、制御部１０２と表示部１０６は通知手段を構成する。
【００１４】
次に、上記構成の携帯電話１００において、カメラ機能の制御及びカメラ機能を制限する場合の動作について図４に示すフローチャートを参照しながら説明する。なお、処理の主体となるのは制御部１０２である。
【００１５】
まず、携帯電話１００のユーザが操作部１０３にて撮影を開始する操作を行うと、制御部１０２はその操作入力を取り込む（ステップＳ４０１）。撮影開始の操作入力の取り込み後、カメラ禁止状態か否かを判定する（ステップＳ４０２）。この判定は、不揮発性メモリ１０３に記憶されるカメラ機能停止を示すフラグの値を基に行う。この場合、カメラ機能停止を示すフラグが「０」であれば、カメラ禁止状態ではないと判断し、撮影画像の取得を行う（ステップＳ４０３）。
【００１６】
次いで、今撮影した画像が撮影禁止画像３００か否かを判定する（ステップＳ４０４）。この判定において、今撮影した画像が撮影禁止画像３００でなければ、通常の撮影と判断し、通常の撮影処理を行う（ステップＳ４０５）。これに対して、今撮影した画像が撮影禁止画像３００であれば、そのときの時間データをリアルタイムクロック１０５から取得し、そのデータをカメラ禁止状態の付加情報として、カメラ機能停止を示すフラグ「１」とともに不揮発性メモリ１０４に記憶する（ステップＳ４０６）。次いで、カメラ機能停止が設定された旨を表示部１０６に表示し、携帯電話１００のユーザ（カメラ機能停止の設定を要求した者も含む）に通知する（ステップＳ４０７）。
【００１７】
一方、ステップＳ４０２の判定において、カメラ機能停止を示すフラグが「１」に設定されていてカメラ禁止状態であれば、カメラ機能停止中である旨を表示部１０６に表示し、携帯電話１００のユーザ（カメラ機能停止の設定を要求した者も含む）に通知する（ステップＳ４０８）。本実施の形態では、撮影禁止画像３００を撮影してから一定期間だけカメラ機能を停止するようにしているので、ステップＳ４０２の判定でカメラ機能停止期間中であれば、ステップＳ４０８へ移行してカメラ機能停止中であることをユーザに通知し、カメラ機能停止期間を経過していればステップＳ４０３へ移行して撮影画像を取得する。
【００１８】
このように、本実施の形態の携帯電話１００によれば、撮影を行う毎に、カメラ機能停止を示すフラグを参照し、該フラグが「１」であれば、カメラ機能停止状態にあるので、その旨をユーザに通知し、該フラグが「０」であれば、カメラ機能が有効状態にあるので、今撮影した画像が撮影禁止画像３００かどうか判定し、撮影禁止画像３００であれば、今回の撮影時の時刻とカメラ機能停止を示すフラグ「１」を不揮発性メモリ１０４に設定し、さらにカメラ機能停止を設定したことを表示部１０６に表示して、その旨をユーザに通知し、撮影禁止画像３００でなければ通常の撮影処理を行う。
【００１９】
したがって、撮影禁止画像３００を撮影した場合にカメラ機能を停止状態にするので、公衆網の如何に関わらず通信機能を備えることなく、撮影禁止場所に撮影禁止画像３００を設けて、それを撮影するのみでカメラ機能を制限することができる。
【００２０】
また、撮影禁止画像３００を撮影することで一定期間のみカメラ機能が禁止状態となり、一定時間後にはカメラ機能が有効になるので、カメラ機能が禁止されたままになってしまうのを防止することができる。また、カメラ機能が禁止状態となると、その旨をユーザに通知するので、カメラ機能停止状態における無駄なカメラ操作を未然に防止できる。
【００２１】
（実施の形態２）
図５は、本発明の実施の形態２に係る携帯電話におけるカメラ機能の禁止状態解除処理を示すフローチャートである。実施の形態１の携帯電話１００では、撮影禁止画像３００を撮影してから一定期間経過しなければカメラ機能停止状態が解除されないが、本実施の形態の携帯電話１００Ｂでは、カメラ機能停止期間中でも特定画像を検出することでカメラ禁止状態を解除できるようにしたものである。装置構成及び基本的動作は実施の形態１と同じあるので省略する。
【００２２】
カメラ機能が禁止されている状態で通常の撮影を開始する操作を行うと、図４のステップＳ４０２でカメラ禁止状態と判定されてカメラ機能停止中であることが通知される。カメラ機能停止中でそれを解除する場合、操作部１０３の図示しない解除要求ボタンを押下してカメラ禁止解除要求を出す。制御部１０２は、このカメラ禁止解除要求を受け付けると（ステップＳ５１０）、撮影画像を取得する（ステップＳ５０２）。この際、携帯電話のユーザは、図３の撮影禁止画像とは異なる撮影禁止解除画像（図示略）を撮影する。
【００２３】
撮影画像を取得した後、当該画像が撮影禁止解除画像かどうか判定し（ステップＳ５０３）、撮影禁止解除画像でなければ、カメラ機能停止解除が失敗したことをユーザに通知する（ステップＳ５０６）。すなわち、表示部１０６上にその旨を表示する。これに対して撮影禁止解除画像であれば、カメラ機能停止解除を不揮発性メモリ１０４に記憶する（ステップＳ５０４）。すなわち、カメラ機能停止を示すフラグを「０」に設定し、カメラ機能を有効状態とする。次いで、カメラ機能停止解除状態となった旨を表示部１０６に表示し、携帯電話１００のユーザ（カメラ機能停止の設定を要求した者も含む）に通知する（ステップＳ５０５）。
【００２４】
このように、本実施の形態の携帯電話１００Ｂによれば、撮影禁止解除画像を撮影することでカメラ機能停止を解除できるようにしたので、携帯電話のユーザの利便性並びにプライバシーを損なうことなく、撮影機能のみを停止することができる。また、撮影禁止場所を管理する者も本実施の形態の携帯電話を預かることなしに撮影されるのを防ぐことができるため、携帯電話の保管場所等の保管設備を縮小又は廃止することが可能となる。
【００２５】
なお、上記各実施の形態では、カメラ機能停止期間を携帯電話１００（１００Ｂ）側で決定したが、撮影禁止場所を管理する側で決定できるようにしても良い。例えば、撮影禁止画像３００内にカメラ機能停止期間を示す情報を埋め込み、その情報を携帯電話１００（１００Ｂ）が検出してカメラ機能停止期間を設定する。
【００２６】
また、上記各実施の形態では、カメラ機能制御装置２００を携帯電話に適用した場合であったが、ＰＤＡ、ノート型のパーソナルコンピュータをはじめとする、カメラ機能を備えた電子機器全般に適用することができる。
【産業上の利用可能性】
【００２７】
本発明のカメラ機能制御装置は、撮影禁止画像を撮影した場合にカメラ機能を停止することができるので、公衆網の如何に関わらず通信機能を備えることなく、撮影禁止場所に撮影禁止画像を設けて、それを撮影するのみでカメラ機能を制限することができるという効果を有し、携帯電話、ＰＤＡ(Personal Digital Assistant)、ノート型のパーソナルコンピュータ等の携帯端末装置に搭載されるカメラ機能を制御するためのカメラ機能制御装置等として有用である。
【図面の簡単な説明】
【００２８】
【図１】本発明の実施の形態１に係る携帯電話の主要部分の構成を示すブロック図
【図２】図１の携帯電話の概観を示す正面図
【図３】図１の携帯電話で用いられる撮影禁止画像を示す図
【図４】図１の携帯電話の動作を示すフローチャート
【図５】本発明の実施の形態２に係る携帯電話の動作を示すフローチャート
【符号の説明】
【００２９】
１００、１００Ｂ  携帯電話
１０１  カメラ部
１０２  制御部
１０３  操作部
１０４  不揮発性メモリ
１０５  リアルタイムクロック
１０６  表示部
２００  カメラ機能制御装置
３００  撮影禁止画像
【図１】
2006041679.tif 000003
【図２】
2006041679.tif 000004
【図３】
2006041679.tif 000005
【図４】
2006041679.tif 000006
【図５】
2006041679.tif 000007